(57)【要約】【課題】中古車購入希望者が真の車両の状態を容易かつ十分に認識できる中古車両用情報処理プログラム、記録媒体、携帯端末、及び中古車両用情報処理システムを提供する。【解決手段】携帯端末２のＲＯＭ２ｅ内に、操作手段を介し操作入力された中古の油圧ショベル１の査定に関する文字データを読み込む第１手順と、デジタルカメラ３で撮影した油圧ショベル１の画像データを読み込む第２手順と、読み込んだ文字データと読み込んだ画像データとを所定の形式で関連づける第３手順と、その関連づけた状態の文字データ及び画像データを、サーバ５に送信する第４手順とを、携帯端末２に備えられたＣＰＵ２ｃに実行させるプログラムを備える。【選択図】  図１２
2004178043.tif 000002
【特許請求の範囲】
【請求項１】
携帯端末の操作手段を介し操作入力された中古車両の査定に関する文字データを読み込む第１手順と、
撮影手段で撮影した前記中古車両の画像データを読み込む第２手順と、
前記読み込んだ文字データと前記読み込んだ画像データとを所定の形式で関連づける第３手順と、
その関連づけた状態の前記文字データ及び前記画像データを、サーバに送信する第４手順とを、
前記携帯端末に備えられた演算手段に実行させるための中古車両用情報処理プログラム。
【請求項２】
請求項１記載の中古車両用情報処理プログラムにおいて、前記第３手順は、前記第１手順で読み込んだ文字データと前記第２手順で読み込んだ画像データとを所定の形式で関連づけるかどうかの指示入力を促し、その指示入力に応じて、前記関連づけを行うことを特徴とする中古車両用情報処理プログラム。
【請求項３】
請求項１記載の中古車両用情報処理プログラムにおいて、前記第２手順は、前記携帯端末の表示手段に前記画像信号を読み込むかどうかの指示入力を促す表示信号を出力し、この指示入力に応じて前記画像データの読み込みを行うと共に、その後の前記第３手順の前記文字データと前記画像データとの前記関連づけが前記指示入力に応じて自動的に行われることを特徴とする中古車両用情報処理プログラム。
【請求項４】
携帯端末の表示手段に、中古車両の査定に関する文字データの操作入力を促す表示信号を出力する手順と、
前記携帯端末の操作手段を介し操作入力された前記文字データを読み込んで、前記携帯端末の記憶手段に記憶する手順と、
前記表示手段に、前記携帯端末外部の撮影手段で撮影した前記中古車両の外観写真を読み込むかどうかの指示入力を促す表示信号を出力する手順と、
この指示入力に応じて、前記撮影手段より前記画像データを読み込み、前記記憶手段に記憶する手順と、
前記表示手段に、前記記憶した文字データ及び画像データを所定の形式で関連づけるかどうかの指示入力を促す表示信号を出力する手順と、
この指示入力に応じて、前記記憶手段から前記文字データと前記画像データとを読み出して前記所定の形式で関連づけ、その関連づけた状態の表示を行わせる表示信号を前記表示手段に出力する手順と、
前記表示手段に、前記関連づけた状態の前記文字データ及び前記画像データを、サーバに送信するかどうかの指示入力を促す表示信号を出力する手順と、
この指示入力に応じて、前記関連づけた状態の前記文字データ及び前記画像データを、前記中古車両の査定情報としてサーバに送信する手順と
を、前記携帯端末に備えられた演算手段に実行させるための中古車両用情報処理プログラム。
【請求項５】
携帯端末の操作手段を介し操作入力された中古車両の査定に関する文字データを読み込む第１手順と、
前記携帯端末の表示手段に前記中古車両の少なくとも一部分に係わる図像表示を行う表示信号を出力すると共に、その図像表示上への手書き入力データを読み込む第７手順と、
前記読み込んだ文字データと前記読み込んだ手書き入力データとを所定の形式で関連づけた状態でサーバに送信する第８手順とを、
前記携帯端末に備えられた演算手段に実行させるための中古車両用情報処理プログラム。
【請求項６】
携帯端末の表示手段に、中古車両の査定に関する文字データの操作入力を促す表示信号を出力する手順と、
前記携帯端末の操作手段を介し操作入力された前記文字データを読み込んで、前記携帯端末の記憶手段に記憶する手順と、
前記表示手段に、前記中古車両の査定に関する手書き入力を行うかどうかの指示入力を促す表示信号を出力する手順と、
この指示入力に応じて、前記携帯端末の表示手段に前記中古車両の少なくとも一部分に係わる図像表示を行うと共に、その図像表示上への手書き入力データを読み込み、前記記憶手段に記憶する手順と、
前記記憶手段から前記文字データと前記手書き入力データとを読み出し、それらを所定の形式で関連づけた状態でサーバに送信するかどうかの指示入力を促す表示信号を出力する手順と、
この指示入力に応じて、前記関連づけた状態の前記文字データ及び前記手書き入力データを、前記中古車両の査定情報としてサーバに送信する手順と
を、前記携帯端末に備えられた演算手段に実行させるための中古車両用情報処理プログラム。
【請求項７】
請求項１〜６のいずれか１項記載の中古車両用情報処理プログラムにおいて、前記撮影手段として前記携帯端末外部のカメラを用いることを特徴とする中古車両用情報処理プログラム。
【請求項８】
請求項１〜６のいずれか１項記載の中古車両用情報処理プログラムにおいて、前記携帯端末に設けた前記撮影手段を用いることを特徴とする中古車両用情報処理プログラム。
【請求項９】
携帯端末の表示手段に、中古車両の査定に関する文字データの操作入力を促す表示信号を出力する手順と、
前記携帯端末の操作手段を介し操作入力された前記文字データを読み込んで、前記携帯端末の記憶手段に記憶する手順と、
前記表示手段に、前記中古車両の査定に関する手書き入力を行うかどうかの指示入力を促す表示信号を出力する手順と、
この指示入力に応じて、前記携帯端末の表示手段に前記中古車両の少なくとも一部分に係わる図像表示を行うと共に、その図像表示上への手書き入力データを読み込み、前記記憶手段に記憶する手順と、
前記表示手段に、前記携帯端末外部の撮影手段で撮影した前記中古車両の外観写真を読み込むかどうかの指示入力を促す表示信号を出力する手順と、
この指示入力に応じて、前記撮影手段より前記画像データを読み込み、前記記憶手段に記憶する手順と、
前記表示手段に、前記記憶した文字データ、手書き入力データ、画像データを所定の形式で関連づけるかどうかの指示入力を促す表示信号を出力する手順と、
この指示入力に応じて、前記記憶手段から前記文字データ、前記手書き入力データ、前記画像データを読み出して前記所定の形式で関連づけ、その関連づけた状態の表示を行わせる表示信号を前記表示手段に出力する手順と、
前記表示手段に、前記関連づけた状態の前記文字データ、前記手書き入力データ、前記画像データを、サーバに送信するかどうかの指示入力を促す表示信号を出力する手順と、
この指示入力に応じて、前記関連づけた状態の前記文字データ、前記手書き入力データ、前記画像データを、前記中古車両の査定情報としてサーバに送信する手順とを、前記携帯端末に備えられた演算手段に実行させるための中古車両用情報処理プログラム。
【請求項１０】
携帯端末の操作手段を介し操作入力された複数の中古車両の査定に関する文字データを順次読み込んで記憶する手順と、
撮影手段で撮影した前記複数の中古車両の画像データを順次読み込んで記憶する手順と、
前記読み込んだ複数の中古車両の査定に関する文字データと前記読み込んだ複数の中古車両の画像データとを、各車両ごとに互いに関連づける手順と、
その各車両ごとに関連づけた状態の前記複数の中古車両に係わる前記文字データ及び前記画像データを、サーバに送信する手順とを、
前記携帯端末に備えられた演算手段に実行させるための中古車両用情報処理プログラム。
【請求項１１】
携帯端末の操作手段を介し操作入力された中古車両の査定に関する文字データを読み込んで記憶すること、及び前記携帯端末の表示手段に前記中古車両の少なくとも一部分に係わる図像表示を行うとともにその図像表示上への手書き入力データを読み込んで記憶することを、複数の前記中古車両の各車両ごとに順次行う手順と、
前記複数の中古車両に係わる前記文字データと前記手書き入力データとを、各車両ごとに互いに関連づけた状態でサーバに送信する手順とを、
前記携帯端末に備えられた演算手段に実行させるための中古車両用情報処理プログラム。
【請求項１２】
携帯端末の操作手段を介し操作入力された中古車両の査定に関する文字データを読み込む第１手順と、
撮影手段で撮影した前記中古車両の画像データを読み込む第２手順と、
前記読み込んだ文字データと前記読み込んだ画像データとを所定の形式で関連づける第３手順と、
その関連づけた状態の前記文字データ及び前記画像データを、サーバに送信する第４手順とを、
前記携帯端末に備えられた演算手段に実行させるための中古車両用情報処理プログラムを記録した演算手段読みとり可能な記録媒体。
【請求項１３】
携帯端末の操作手段を介し操作入力された中古車両の査定に関する文字データを読み込む第１手順と、
前記携帯端末の表示手段に前記中古車両の少なくとも一部分に係わる図像表示を行うと共に、その図像表示上への手書き入力データを読み込む第７手順と、
前記読み込んだ文字データと前記読み込んだ手書き入力データとを所定の形式で関連づけた状態でサーバに送信する第８手順とを、
前記携帯端末に備えられた演算手段に実行させるための中古車両用情報処理プログラムを記録した演算手段読みとり可能な記録媒体。
【請求項１４】
中古車両の査定に関する文字データを操作入力可能な操作手段と、
撮影手段からの信号を入力する入力手段と、
サーバへの信号を出力する出力手段と、
前記操作手段を介し操作入力された前記中古車両の査定に関する文字データを読み込む手順；前記撮影手段で撮影した前記中古車両の画像データを前記入力手段を介し読み込む手順；前記読み込んだ文字データと前記読み込んだ画像データとを所定の形式で関連づける手順、その関連づけた状態の前記文字データ及び前記画像データを、前記出力手段を介し前記サーバに送信する手順；を実行する第１演算手段と
を備えることを特徴とする携帯端末。
【請求項１５】
中古車両の査定に関する文字データを操作入力可能な操作手段と、
前記中古車両の少なくとも一部分に係わる図像表示を行うとともに、その図像表示上へ手書き入力可能な表示手段と、
サーバへの信号を出力する出力手段と、
前記操作手段を介し操作入力された前記中古車両の査定に関する文字データを読み込む手順；前記図像表示を行う表示信号を出力するとともに、その図像表示上への前記手書き入力データを読み込む手順；前記読み込んだ文字データと前記読み込んだ手書き入力データとを所定の形式で関連づける手順、その関連づけた状態の前記文字データ及び前記手書き入力データを、前記出力手段を介し前記サーバに送信する手順；を実行する第２演算手段と
を備えることを特徴とする携帯端末。
【請求項１６】
中古車両の外観写真を撮影するデジタルカメラと、
前記中古車両の査定に関する文字データを操作入力可能な操作手段、前記デジタルカメラからの信号を入力する入力手段、サーバへの信号を出力する出力手段、前記操作手段を介し操作入力された前記中古車両の査定に関する文字データを読み込む手順；前記デジタルカメラで撮影した前記中古車両の画像データを前記入力手段を介し読み込む手順；前記読み込んだ文字データと前記読み込んだ画像データとを所定の形式で関連づける手順、その関連づけた状態の前記文字データ及び前記画像データを、前記出力手段を介し前記サーバに送信する手順；を実行する第１演算手段を備えた携帯端末と、
を備えることを特徴とする中古車両用情報処理システム。
【発明の詳細な説明】
【０００１】
【発明の属する技術分野】
本発明は、例えば建設機械、鉱山機械、自動車、二輪車、自転車等の中古車両を査定するための情報の処理に関し、さらに詳しくは、中古車購入希望者が真の車両の状態を容易かつ十分に認識できる中古車両用情報処理プログラム、記録媒体、携帯端末、及び中古車両用情報処理システムに関するものである。
【０００２】
【従来の技術】
例えば、建設機械は、その性質上、屋外の過酷な環境で使用されるため、製造販売後において部品の修理交換、メンテナンス等が頻繁に行われる。そして、機械全体としての修理費用（＝機械管理費用）は年々増大するため、ユーザはある程度の期間使用した建設機械は中古車両として下取りに出し、新しい機械に買い替えるのが通常である。
【０００３】
中古車両は、ユーザの使用年数、使用環境、使用態様等が各車両ごとに異なり、これに応じて車両全体及びこれを構成する部品・機器の健全性、信頼性、寿命等が各車両ごとに大きくばらつく。これに対応し、従来、各車両ごとに、中古品としての商品価値がどれだけあるかを価格査定することが行われている（例えば、特許文献１参照）。
【０００４】
【特許文献１】
特開平１０−６０９４８号公報（第３頁、第１１頁）
【０００５】
【発明が解決しようとする課題】
中古車両は既にユーザが使用したものであるから、新品とは異なり、当然のように各部に多少なりとも劣化、変形、傷、汚れ、摩耗、腐食、欠損等があることは避けられない。したがって、上記した価格性格を的確に行うためには、車両各部に上記の劣化等がどの程度生じているか、査定担当者が目視により精密な観察調査を行い、正確なデータを収集する必要がある。
【０００６】
上記従来技術には特に明確には示されていないが、従来、この査定の際には、各車両ごとに、観察すべき箇所、その箇所におけるチェックポイント、状態・性能等が予めリストアップされたチェック用紙を１枚ずつ準備し、査定時には、査定担当者が当該車両を実地に観察しながら項目ごとに記入していくのが一般的であった。そして、このような作業を多数の車両について順次行って収集したデータを、例えば事務所内にファイリングしていた。
【０００７】
しかしながら、このようにファイリングされたデータは、しょせん紙（チェック用紙）に記載された文字情報に過ぎず、ある程度の参考にはなるものの、実際の車両の状態を正確に把握するには限界がある。このため、中古車を買いたいと希望する顧客（中古車購入希望者）が中古車両販売業者の事務所内にてそれらファイリングされた各車両の文字情報だけを見ても、各車両のありのままの真の状態を十分に認識するのは困難であった。
【０００８】
なお、以上は車両の一例として建設機械を例にとって説明したが、他の車両、例えば鉱山機械、自動車、二輪車、自転車等の場合も、その中古取引の場面で同様の事情が生じていた。
【０００９】
本発明の目的は、中古車購入希望者が真の車両の状態を容易かつ十分に認識できる中古車両用情報処理プログラム、記録媒体、携帯端末、及び中古車両用情報処理システムを提供することにある。
【００１０】
【課題を解決するための手段】
（１）上記目的を達成するために、本発明の中古車両用情報処理プログラムは、携帯端末の操作手段を介し操作入力された中古車両の査定に関する文字データを読み込む第１手順と、撮影手段で撮影した前記中古車両の画像データを読み込む第２手順と、前記読み込んだ文字データと前記読み込んだ画像データとを所定の形式で関連づける第３手順と、その関連づけた状態の前記文字データ及び前記画像データを、サーバに送信する第４手順とを、前記携帯端末に備えられた演算手段に実行させる。
【００１１】
本発明においては、査定の際には、査定担当者が携帯端末を持参して中古車両のもとに赴く。そして、この携帯端末の操作手段（表示手段上の画面内のボタンでもよいし、通常の操作スイッチ等でも良い）で中古車両の査定に関する文字データ、例えば各車両ごとの観察すべき箇所、その箇所におけるチェックポイント、状態・性能等を操作入力し、この文字データが、携帯端末の演算手段が実行する第１手順で読み込まれる。また担当者が、携帯端末の外部カメラあるいは内蔵カメラ等の撮影手段で各車両の画像（静止画又は動画）を撮影すると、この画像データが、上記演算手段が実行する第２手順で読み込まれる。そしてこれら読み込まれた文字データと画像データは、上記演算手段が実行する第３手順で互いに所定の形式で関連づけられた後、第４手順でサーバへと送信される。そして、例えば、サーバを介し随時読み出し可能に、上記関連づけられた状態でデータベース内に格納蓄積される。
【００１２】
これにより、中古車を買いたいと希望する顧客（中古車購入希望者）は、例えば中古車両販売業者の事務所内のパソコンを通じて上記サーバにアクセスすることで、予めリストアップされた各観察箇所のチェックポイント、状態・性能等に関する各車両の文字情報で概要を把握できるのみならず、文字情報に関連づけられた当該車両の画像情報（静止画あるいは動画）で実際の姿を具体的かつ明確に入手し、文字情報と併せてじっくりと検討することができる。これにより、紙形式で各車両の文字情報のみがファイリングされていた従来技術と異なり、各車両のありのままの真の状態を容易かつ十分に認識することができる。
【００１３】
（２）上記（１）において、好ましくは、前記第３手順は、前記第１手順で読み込んだ文字データと前記第２手順で読み込んだ画像データとを所定の形式で関連づけるかどうかの指示入力を促し、その指示入力に応じて、前記関連づけを行う。
【００１４】
（３）上記（１）において、また好ましくは、前記第２手順は、前記携帯端末の表示手段に前記画像信号を読み込むかどうかの指示入力を促す表示信号を出力し、この指示入力に応じて前記画像データの読み込みを行うと共に、その後の前記第３手順の前記文字データと前記画像データとの前記関連づけが前記指示入力に応じて自動的に行われる。
【００１５】
（４）また上記目的を達成するために、本発明の中古車両用情報処理プログラムは、携帯端末の表示手段に、中古車両の査定に関する文字データの操作入力を促す表示信号を出力する手順と、前記携帯端末の操作手段を介し操作入力された前記文字データを読み込んで、前記携帯端末の記憶手段に記憶する手順と、前記表示手段に、前記携帯端末外部の撮影手段で撮影した前記中古車両の外観写真を読み込むかどうかの指示入力を促す表示信号を出力する手順と、この指示入力に応じて、前記撮影手段より前記画像データを読み込み、前記記憶手段に記憶する手順と、前記表示手段に、前記記憶した文字データ及び画像データを所定の形式で関連づけるかどうかの指示入力を促す表示信号を出力する手順と、この指示入力に応じて、前記記憶手段から前記文字データと前記画像データとを読み出して前記所定の形式で関連づけ、その関連づけた状態の表示を行わせる表示信号を前記表示手段に出力する手順と、前記表示手段に、前記関連づけた状態の前記文字データ及び前記画像データを、サーバに送信するかどうかの指示入力を促す表示信号を出力する手順と、この指示入力に応じて、前記関連づけた状態の前記文字データ及び前記画像データを、前記中古車両の査定情報としてサーバに送信する手順とを、前記携帯端末に備えられた演算手段に実行させる。
【００１６】
（５）また上記目的を達成するために、本発明の中古車両用情報処理プログラムは携帯端末の操作手段を介し操作入力された中古車両の査定に関する文字データを読み込む第１手順と、前記携帯端末の表示手段に前記中古車両の少なくとも一部分に係わる図像表示を行う表示信号を出力すると共に、その図像表示上への手書き入力データを読み込む第７手順と、前記読み込んだ文字データと前記読み込んだ手書き入力データとを所定の形式で関連づけた状態でサーバに送信する第８手順とを、前記携帯端末に備えられた演算手段に実行させる。
【００１７】
本発明においては、査定の際には、査定担当者が携帯端末を持参して中古車両のもとに赴く。そして、この携帯端末の操作手段（表示手段上の画面内のボタンでもよいし、通常の操作スイッチ等でも良い）で中古車両の査定に関する文字データ、例えば各車両ごとの観察すべき箇所、その箇所におけるチェックポイント、状態・性能等を操作入力し、この文字データが、携帯端末の演算手段が実行する第１手順で読み込まれる。また担当者が、携帯端末の表示手段に各車両の少なくとも一部分に係わる図像表示を行わせ、その状態で図像表示上の対応する部位に自由に、「傷あり」「変形小」、「汚れ」、「摩耗若干」、「腐食進み」、「欠損一部」等、手書き入力すると、この手書き入力データが、上記演算手段が実行する第７手順で読み込まれる。そしてこれら読み込まれた文字データと手書き入力データは互いに所定の形式で関連づけられた状態で第８手順でサーバへと送信され、例えば、サーバを介し随時読み出し可能に、上記関連づけられた状態でデータベース内に格納蓄積される。
【００１８】
これにより、中古車を買いたいと希望する顧客（中古車購入希望者）は、例えば中古車両販売業者の事務所内のパソコンを通じて上記サーバにアクセスすることで、予めリストアップされた各観察箇所のチェックポイント、状態・性能等に関する各車両の文字情報で概要を把握できるのみならず、文字情報に関連づけられた当該車両の手書き入力情報で実際の姿を具体的かつ明確に入手し、文字情報と併せてじっくりと検討することができる。これにより、紙形式で各車両の文字情報のみがファイリングされていた従来技術と異なり、各車両のありのままの真の状態を容易かつ十分に認識することができる。
【００１９】
（６）また上記目的を達成するために、本発明の中古車両用情報処理プログラムは、携帯端末の表示手段に、中古車両の査定に関する文字データの操作入力を促す表示信号を出力する手順と、前記携帯端末の操作手段を介し操作入力された前記文字データを読み込んで、前記携帯端末の記憶手段に記憶する手順と、前記表示手段に、前記中古車両の査定に関する手書き入力を行うかどうかの指示入力を促す表示信号を出力する手順と、この指示入力に応じて、前記携帯端末の表示手段に前記中古車両の少なくとも一部分に係わる図像表示を行うと共に、その図像表示上への手書き入力データを読み込み、前記記憶手段に記憶する手順と、前記記憶手段から前記文字データと前記手書き入力データとを読み出し、それらを所定の形式で関連づけた状態でサーバに送信するかどうかの指示入力を促す表示信号を出力する手順と、この指示入力に応じて、前記関連づけた状態の前記文字データ及び前記手書き入力データを、前記中古車両の査定情報としてサーバに送信する手順とを、前記携帯端末に備えられた演算手段に実行させる。
【００２０】
（７）上記（１）〜（６）のいずれか１つにおいて、また好ましくは、前記撮影手段として前記携帯端末外部のカメラを用いる。
【００２１】
（８）上記（１）〜（６）のいずれか１つにおいて、また好ましくは、前記携帯端末に設けた前記撮影手段を用いる。
【００２２】
（９）上記目的を達成するために、本発明の中古車両用情報処理プログラムは、携帯端末の表示手段に、中古車両の査定に関する文字データの操作入力を促す表示信号を出力する手順と、前記携帯端末の操作手段を介し操作入力された前記文字データを読み込んで、前記携帯端末の記憶手段に記憶する手順と、前記表示手段に、前記中古車両の査定に関する手書き入力を行うかどうかの指示入力を促す表示信号を出力する手順と、この指示入力に応じて、前記携帯端末の表示手段に前記中古車両の少なくとも一部分に係わる図像表示を行うと共に、その図像表示上への手書き入力データを読み込み、前記記憶手段に記憶する手順と、前記表示手段に、前記携帯端末外部の撮影手段で撮影した前記中古車両の外観写真を読み込むかどうかの指示入力を促す表示信号を出力する手順と、この指示入力に応じて、前記撮影手段より前記画像データを読み込み、前記記憶手段に記憶する手順と、前記表示手段に、前記記憶した文字データ、手書き入力データ、画像データを所定の形式で関連づけるかどうかの指示入力を促す表示信号を出力する手順と、この指示入力に応じて、前記記憶手段から前記文字データ、前記手書き入力データ、前記画像データを読み出して前記所定の形式で関連づけ、その関連づけた状態の表示を行わせる表示信号を前記表示手段に出力する手順と、前記表示手段に、前記関連づけた状態の前記文字データ、前記手書き入力データ、前記画像データを、サーバに送信するかどうかの指示入力を促す表示信号を出力する手順と、この指示入力に応じて、前記関連づけた状態の前記文字データ、前記手書き入力データ、前記画像データを、前記中古車両の査定情報としてサーバに送信する手順とを、前記携帯端末に備えられた演算手段に実行させる。
【００２３】
（１０）上記目的を達成するために、本発明の中古車両用情報処理プログラムは、携帯端末の操作手段を介し操作入力された複数の中古車両の査定に関する文字データを順次読み込んで記憶する手順と、撮影手段で撮影した前記複数の中古車両の画像データを順次読み込んで記憶する手順と、前記読み込んだ複数の中古車両の査定に関する文字データと前記読み込んだ複数の中古車両の画像データとを、各車両ごとに互いに関連づける手順と、その各車両ごとに関連づけた状態の前記複数の中古車両に係わる前記文字データ及び前記画像データを、サーバに送信する手順とを、前記携帯端末に備えられた演算手段に実行させる。
【００２４】
（１１）上記目的を達成するために、本発明の中古車両用情報処理プログラムは、携帯端末の操作手段を介し操作入力された中古車両の査定に関する文字データを読み込んで記憶すること、及び前記携帯端末の表示手段に前記中古車両の少なくとも一部分に係わる図像表示を行うとともにその図像表示上への手書き入力データを読み込んで記憶することを、複数の前記中古車両の各車両ごとに順次行う手順と、前記複数の中古車両に係わる前記文字データと前記手書き入力データとを、各車両ごとに互いに関連づけた状態でサーバに送信する手順とを、前記携帯端末に備えられた演算手段に実行させる。
【００２５】
（１２）上記目的を達成するために、本発明の記録媒体は、携帯端末の操作手段を介し操作入力された中古車両の査定に関する文字データを読み込む第１手順と、撮影手段で撮影した前記中古車両の画像データを読み込む第２手順と、前記読み込んだ文字データと前記読み込んだ画像データとを所定の形式で関連づける第３手順と、その関連づけた状態の前記文字データ及び前記画像データを、サーバに送信する第４手順とを、前記携帯端末に備えられた演算手段に実行させる。
【００２６】
（１３）また上記目的を達成するために、本発明の記録媒体は、携帯端末の操作手段を介し操作入力された中古車両の査定に関する文字データを読み込む第１手順と、前記携帯端末の表示手段に前記中古車両の少なくとも一部分に係わる図像表示を行うと共に、その図像表示上への手書き入力データを読み込む第７手順と、前記読み込んだ文字データと前記読み込んだ手書き入力データとを所定の形式で関連づけた状態でサーバに送信する第８手順とを、前記携帯端末に備えられた演算手段に実行させる。
【００２７】
（１４）上記目的を達成するために、本発明の携帯端末は、中古車両の査定に関する文字データを操作入力可能な操作手段と、撮影手段からの信号を入力する入力手段と、サーバへの信号を出力する出力手段と、前記操作手段を介し操作入力された前記中古車両の査定に関する文字データを読み込む手順；前記撮影手段で撮影した前記中古車両の画像データを前記入力手段を介し読み込む手順；前記読み込んだ文字データと前記読み込んだ画像データとを所定の形式で関連づける手順、その関連づけた状態の前記文字データ及び前記画像データを、前記出力手段を介し前記サーバに送信する手順；を実行する第１演算手段とを備える。
【００２８】
（１５）また上記目的を達成するために、本発明の携帯端末は、中古車両の査定に関する文字データを操作入力可能な操作手段と、前記中古車両の少なくとも一部分に係わる図像表示を行うとともに、その図像表示上へ手書き入力可能な表示手段と、サーバへの信号を出力する出力手段と、前記操作手段を介し操作入力された前記中古車両の査定に関する文字データを読み込む手順；前記図像表示を行う表示信号を出力するとともに、その図像表示上への前記手書き入力データを読み込む手順；前記読み込んだ文字データと前記読み込んだ手書き入力データとを所定の形式で関連づける手順、その関連づけた状態の前記文字データ及び前記手書き入力データを、前記出力手段を介し前記サーバに送信する手順；を実行する第２演算手段とを備える。
【００２９】
（１６）上記目的を達成するために、本発明の中古車両用情報処理システムは、中古車両の外観写真を撮影するデジタルカメラと、前記中古車両の査定に関する文字データを操作入力可能な操作手段、前記デジタルカメラからの信号を入力する入力手段、サーバへの信号を出力する出力手段、前記操作手段を介し操作入力された前記中古車両の査定に関する文字データを読み込む手順；前記デジタルカメラで撮影した前記中古車両の画像データを前記入力手段を介し読み込む手順；前記読み込んだ文字データと前記読み込んだ画像データとを所定の形式で関連づける手順、その関連づけた状態の前記文字データ及び前記画像データを、前記出力手段を介し前記サーバに送信する手順；を実行する第１演算手段を備えた携帯端末とを備える。
【００３０】
【発明の実施の形態】
以下、本発明の中古車両用情報処理プログラムの一実施の形態を図面を参照しつつ説明する。本実施の形態は、車両の一例として建設機械を適用対象とした場合の一実施の形態である。
図１は、本発明の中古車両用情報処理プログラムを適用した中古車両用情報処理システムの全体概要図である。
【００３１】
図１において、この情報処理システムは、中古建設機械取扱業（例えば販売業者、取引仲介業者、オークション主催業者、レンタル業者等）が取り扱い対象とする複数の中古建設機械（この例では油圧ショベル）１のそれぞれに対する査定を行うために供するものである。
【００３２】
すなわち、このシステムは、査定担当者が、上記中古の油圧ショベル１の留置場所（販売・仲介のための車両置場のほか、展示場、オークション会場等も含む）に携行して用いる携帯端末２及びデジタルカメラ３と、例えば上記油圧ショベル１の留置場所近くの事務所内に配置された情報端末（例えばパソコン）４と、例えば上記中古建設機械取扱業（又はその委託を受けた情報管理会社等も含む）の主たるオフィス（例えば本社）に設置されるサーバ５とを備えている。
【００３３】
デジタルカメラ３は上記携帯端末２に例えばケーブルを介して接続（無線方式でもよい）可能となっており、携帯端末２、パソコン４、サーバ５は、互いに通信回線（例えば公衆回線を用いたインターネット等）及び中継局・基地局等６を用いた情報通信により接続されている。
【００３４】
油圧ショベル１は、走行体１Ａと、走行体１Ａ上に旋回可能に設けれられた旋回体１Ｂと、旋回体１Ｂの前部左側に設けられた運転室１Ｃと、旋回体１Ｂに回動可能に設けられたブーム１Ｄと、このブーム１Ｄの先端に回動可能に設けられたアーム１Ｅと、このアーム１Ｅの先端に回動可能に設けられたバケット１Ｆとを備えている。
【００３５】
図２は、本発明の中古車両用情報処理プログラムの一実施の形態を備えた携帯端末２の機能的構成を表す機能ブロック図である。
【００３６】
図２において、携帯端末２はこの例ではいわゆるＰＤＡ（Ｐｅｒｓｏｎａｌ  Ｄｅｇｉｔａｌ  Ａｓｓｉｓｔａｎｔｓ）であり、端末本体２Ａと、表示手段としての表示部２Ｂ（後述の図５も参照）と、マウス部２Ｃ（後述の図５も参照）と、操作ボタン部２Ｄａ，２Ｄｂ（後述の図５も参照）と、操作ダイヤル部２Ｆ（後述の図５も参照）と、表示部２Ｂに設けられた手書き入力検出部２Ｅとを備えている。
【００３７】
端末本体２Ａは、入力手段及び出力手段としての通信インターフェース（Ｉ／Ｏ）２ａ，２ｂと、演算手段としてのＣＰＵ（中央処理演算部）２ｃと、記憶手段としてのＲＡＭ２ｄと、本発明の中古車両用情報処理プログラムの一実施の形態を予め記憶保持した記録媒体としてのＲＯＭ（メモリカード・メモリスティック等他の記録媒体でもよい）２ｅと、表示インターフェース２ｆとから構成されている。
【００３８】
通信インターフェース２ａは、操作ボタン部２Ｄａ，２Ｄｂ、マウス部２Ｃ、手書き入力検出部２Ｅ、操作ダイヤル部２Ｆからの操作信号・手書き入力信号や、デジタルカメラ３からの画像信号（又は映像信号；静止画又は動画を含む）を入力する。ＣＰＵ２ｃは、上記通信インターフェース２ａを介し入力した信号に基づき、ＲＯＭ２ｅに予め格納された各処理プログラム（後述）に沿って所定の演算処理を行う。このとき、演算途中のデータは、適宜一時的に記憶手段としてのＲＡＭ２ｄに記憶される。演算結果は、表示インターフェース２ｆを介し所定の態様（後述）で表示部２Ｂに表示されるとともに、通信インターフェース２ｂよりインターネットを介しサーバ５へと出力される。
【００３９】
図３は、上述したＲＯＭ２ｅに記憶された本発明の中古車両用情報処理プログラムの一実施形態の内訳を表す図であり、ＲＯＭ２ｅには、大別して、表示部２Ｂに初期画面（後述）を表示させる初期画面表示プログラム１００と、その初期画面及びその後移行した各画面における操作（詳細は後述）において各種処理を行うための情報処理プログラム１１０とが保存されている。
【００４０】
情報処理プログラム１１０はさらに、後述する基本項目入力画面、シート入力画面、手書き入力画面、画像読み込み画面、画像関連づけ画面、送信画面、各種設定画面において操作ボタン部２Ｄ、マウス部２Ｃ、手書き入力検出部２Ｅからの操作入力に応じた各種処理（演算処理）を行うための、基本項目入力処理プログラム１１１、シート入力処理プログラム１１２、手書き入力処理プログラム１１３、画像入力処理プログラム１１４、画像貼付け処理プログラム１１５、送信処理プログラム１１６、各種設定処理プログラム１１７から構成されている。
【００４１】
なお、各プログラムの詳細手順内容及びその機能については、後述する。
【００４２】
次に、上記プログラムを備えた携帯端末２の機能によって実際に査定担当者が査定処理を行う場合の作業手順の一例を、その作業フローである図４を用いつつ、順を追って説明する。
【００４３】
（１）基本項目入力（ステップ１００）
査定担当者が査定処理を行おうとする場合には、まず、携帯端末２及びデジタルカメラ３を携行して査定対象である複数の油圧ショベル１が留置してある留置場所へ赴く。
【００４４】
図５は、上記携帯端末２の詳細構成を表す正面図であり、電源投入直後に（あるいは電源投入後の表示部２Ｂ左下の操作ボタン部２Ｄａの操作により）上記初期画面表示プログラム１００によって表示部２Ｂに初期画面が表示された（正確には、ＣＰＵ２ｃが初期画面表示を行わせる表示信号を表示部２Ｂに出力し、表示部２Ｂがこれに応じて当該表示を行う。以下、表示に関して同様）状態を表している。
【００４５】
図５において、表示部２Ｂに表示された初期画面中には、前述した基本項目入力画面、シート入力画面、手書き入力画面、画像読み込み画面、画像関連づけ画面、送信画面、各種設定画面にそれぞれ移行するための「基本項目入力」ボタン２０１、「シート入力」ボタン２０２、「手書き入力」ボタン２０３、「画像入力」ボタン２０４、「画像貼付け」ボタン２０５、「送信」ボタン２０６、「設定」ボタン２０７、「一斉表示」ボタン２０８と、「終了」ボタン２０９とを備えている。
【００４６】
これらのボタン２０１〜２０９が表示される表示部２Ｂの左下部及び右下部に前述の操作ボタン部２Ｄが、中央下部に前述のマウス部２Ｃが設けられている。また表示部２Ｂに左側部には、前述の操作ダイヤル部２Ｆが設けられている。
【００４７】
査定担当者が複数の油圧ショベル１の留置場所へ到着し査定を順番に開始する場合には、図５に示した上記初期画面において「基本項目入力」ボタン２０１を操作する（例えば、マウス部２Ｃでカーソルを合わせた後に操作ボタン部２Ｄでクリックする、あるいは表示部２Ｂをタッチパネルで構成し指又はタッチペンによって「基本項目入力」ボタン２０１自体をタッチ操作する等。以下、表示部２Ｂの各画面中のボタン等の操作についてすべて同様）。
【００４８】
図６は、上記初期画面における「基本項目入力」ボタン２０１の操作により、上記基本項目入力処理プログラム１１１によって表示部２Ｂに表示される基本項目入力画面を表す図である。
【００４９】
図６において、表示部２Ｂに表示された画面中には、区分入力領域２１１、メーカ入力領域２１２、機種入力領域２１３、号機入力領域２１４が設けられている。査定担当者は、まず１台の油圧ショベル１について、これらの入力を行っていく。
【００５０】
区分入力領域２１１は、査定しようとする車両の区分名を入力（予め記憶又は外部より適宜入力設定されたものの中からカーソルを合わせて選択するようにしてもよいし、操作ダイヤル部２Ｆ、操作ボタン部２Ｄａ，２Ｄｂ、マウス部２Ｃにより新たに文字入力するようにしてもよい。以下、表示部２Ｂの画面中の各入力領域等の入力についてすべて同様）する領域である。図示の例では「油圧ショベル」が入力された状態を示している。
【００５１】
メーカ入力領域２１２は、上記区分入力領域２１１の入力に対応して、査定しようとする車両のメーカ名（例えば「Ａ社」「Ｂ社」等）を入力する領域である。
【００５２】
機種入力領域２１３は、上記メーカ入力領域２１２の入力に対応して、査定しようとする車両の機種名（例えば「○○−△△△型」等）を入力する領域である。
【００５３】
号機入力領域２１４は、上記機種入力領域２１３の入力に対応して、査定しようとする各車両ごとの号機名を入力する領域である。図示は「１２３４５６７」号機の例である。
【００５４】
以上、区分入力領域２１１、メーカ入力領域２１２、機種入力領域２１３、号機入力領域２１４の入力が終わったら、査定担当者は、号機入力領域２１４のさらに下部に設けられた「開始」ボタン２１５を操作することにより、図４のステップ２００に示す次のシート入力・デジカメ撮影手順へ移行する。
【００５５】
（２）シート入力・デジカメ撮影（ステップ２００）
図７は、上記基本項目入力画面における「開始」ボタン２１５の操作により、上記シート入力処理プログラム１１２によって表示部２Ｂに表示されるシート入力画面（言い換えれば、油圧ショベル１の査定に関する文字データの操作入力を促す画面）を表す図である。
【００５６】
図７において、表示部２Ｂに表示された画面中には、前述のように従来のチェック用紙にほぼ相当する内容のチェックシートが表示される。すなわち、各車両ごとに、観察すべき箇所、その箇所におけるチェックポイント、状態・性能等の選択肢が予めリストアップされている。そして、査定担当者が当該車両を実地に観察しつつ、操作ダイヤル部２Ｆ、操作ボタン部２Ｄａ，２Ｄｂ、マウス部２Ｃ等を用いて適宜スクロールしたりカーソルを移動させたりしながら、従来のチェック用紙に記載していたのと同様の要領で、各項目ごとに文字データを記入（新規文字入力又は選択入力）できるようになっている。
【００５７】
そのチェックシートの内容は、前述の初期画面における区分入力領域２１１、メーカ入力領域２１２、機種入力領域２１３における入力内容に応じて変化し、当該機種に合致した内容が表示される。例えば、油圧ショベル１の外観点検箇所としては、前述の運転室（キャブ）１Ｃ、旋回体１Ｂのカバー類、ブーム１Ｄ、アーム１Ｅ、バケット１Ｆ等について、損傷・変形箇所が何カ所あるか、錆・腐食・クラック・補修後の有無、ガラス破損・開閉ガラスの締まり具合・着座用のシート・扉の締まり具合・コンソールボックスのそれぞれの状態が良いか不良であるかどうかを入力する欄が設けられている。また、ガタの点検箇所としては、上記旋回体１Ｂを走行体１Ａに対して旋回させる旋回輪（いずれも図示せず）、ブーム１Ｄのフートピン・ブーム１Ｄ又はアーム１Ｅのジョイントピン、バケット１Ｆのジョイントピン等について、ガタが大きいか、中程度か、小さいかを入力する欄が設けられている。また、油圧ショベル１を駆動する油圧駆動装置の油漏れ点検箇所としては、ブーム１Ｄを駆動するブームシリンダ、アーム１Ｅを駆動するアームシリンダ、バケット１Ｆを駆動するバケットシリンダ、旋回体１Ｂ内に設けた原動機としてのエンジン周辺、このエンジンにより駆動される油圧ポンプ（メインポンプ・パイロットポンプ）周辺、作動油を冷却するオイルクーラ、走行体１Ａの足回り等について、油漏れの有無を入力する欄が設けられている。また走行体１Ａに備えられる摩耗による消耗品の摩耗度点検箇所としては、トラックリンク、スプロケット、従動輪（アイドラ）、上・下ローラ、無限軌道履帯のシュー（クローラタイプの油圧ショベル）又はタイヤ（ホイールタイプの油圧ショベル）について、例えば新品を１００％としてどの程度まで摩耗しているかが９０％、８０％等の数値又は良・不良の別等で入力する欄が設けられている。
【００５８】
なお、最後に、当該車両全体の総合評価として、例えば、経年（年式）の割には程度が良いとか、経年相応であるとか、程度が悪いとか、程度が著しく悪くスクラップ相当であるとか、さらには自由に査定担当者が追加コメントできる欄が設けられていることが好ましい。
【００５９】
また、上記の実質的なチェック記入を行う欄とは別に、前述の基本項目入力画面での入力事項を補完する意味で、各車両の個性を表す項目、例えば、製造年、アワメータの示す稼働時間、バケット１Ｆの容量や付属バケットの有無、アーム１Ｅの態様（標準仕様、ロング仕様、オフセットタイプ、スイングタイプの別等）、クローラタイプの油圧ショベルの場合におけるシューの材質（金属、ゴムの別）及び形状（三角、フラットの別）や幅の値、ホイールタイプの油圧ショベルの場合におけるタイヤのサイズ、運転室１Ｃが密閉式のキャブタイプであるか開放式のキャノピータイプであるか、エアコンがあるかどうか等を入力可能な欄を設けても良い。
【００６０】
そして、このとき、査定担当者は、上記のようにチェックシートの各欄に入力を行いつつ（但し、当該留置場所における査定作業効率に応じて、入力を終了した後又は入力開始前でも良いことは言うまでもない）、査定に関連する箇所の画像（写真、静止画、又は動画でもよい。）をデジタルカメラ３で撮影する。この撮影の際には、撮影枚数や撮影箇所の指定や制約はなく、査定担当者の自由に撮影を行うことができる（但し、予め一台当たりの撮影枚数、撮影箇所を定めた状態で撮影してもよいことは言うまでもない）。撮影した画像は、通常のこの種のデジタルカメラと同様、それぞれ撮影時の時刻データが付された画像データとしてデジタルカメラ３内の記憶手段に格納され、記憶保持される
なお、上記各欄の入力事項は、例えばチェックシートの最下部に「確定」ボタンが設けられており、この「確定」ボタンを操作することにより、前述のシート入力処理プログラム１１２によって時刻データつきの所定のファイル形式でＲＡＭ２ｄへ一旦格納され記憶保持される（例えば、確定させるまでは、別途設けた「クリア」ボタンで一斉消去可能となっている）。
【００６１】
以上のようにして、シート入力画面におけるチェックシートの各欄の入力及び記憶が終わったら、査定担当者は、適宜の操作（例えば、表示部２Ｂの左下部の操作ボタン部２Ｄａを操作して図５の初期画面に戻り「手書入力」ボタン２０３を操作、あるいはシート入力画面内に適宜設けた画面移行ボタンを操作等）により、図４のステップ３００に示す次の手書き入力手順へ移行する。
【００６２】
（３）手書き入力（ステップ３００）
図８は、上記シート入力画面における適宜の操作により、前述の手書き入力処理プログラム１１３によって表示部２Ｂに表示される手書き入力画面（言い換えれば、油圧ショベル１の査定に関する手書き入力を行うかどうかの指示入力を促す画面）を表す図である。
【００６３】
図８において、表示部２Ｂに表示された画面中には、油圧ショベル１の旋回体１Ｂを概ね横から見た（詳細には左後方から見た）状態の図像表示（斜視イメージ図）が表示されており、その図像表示の上から、査定担当者が例えばタッチペンによってフリーハンドで自由な書き込みができるようになっている。図示の例では、査定担当者が傷の発生箇所に「キズ」、錆の発生箇所に「サビ」と手書きで記入した例を示している。
【００６４】
一方、画面中の上記図像表示の下部には、「戻る」ボタン２２１、「前」ボタン２２２、「横」ボタン２２３、「フロント」ボタン２２４が設けられている。
【００６５】
図９は、図８に示す画面（後述の図１０に示す画面も同様）において「前」ボタン２２２を操作したときに上記手書き入力処理プログラム１１３によって表示部２Ｂに表示される手書き入力画面を表す図である。画面中には、油圧ショベル１の旋回体１Ｂを概ね前方から見た（詳細には右前方から見た）状態の図像表示（斜視イメージ図）が表示されている。図示の例では、査定担当者が凹みの発生箇所に「ヘコミ」と手書きで記入した例を示している。前述のボタン２２１〜２２４はこの画面内にも設けられている。
【００６６】
図１０は、図８及び図９に示す画面において「フロント」ボタン２２４を操作したときに上記手書き入力処理プログラム１１３によって表示部２Ｂに表示される手書き入力画面を表す図である。画面中には、油圧ショベル１のブーム１Ｄ、アーム１Ｅ、バケット１Ｆを横から見た（詳細には右側から見た）状態の図像表示（斜視イメージ図）が表示されている。図示の例では、査定担当者が小さな変形の発生箇所に「変形（小）」と手書きで記入した例を示している。前述のボタン２２１〜２２４はこの画面内にも設けられている。
【００６７】
なお、以上より分かるように、結局、図８〜図１０の各画面において、「戻る」ボタン２２１を操作すれば前の表示画面に戻り、「前」ボタン２２２を操作すれば図８の画面へ移行し（図８の画面において操作した場合は変わらない）、「後」ボタン２２３を操作すれば図９の画面へ移行し（図９の画面において操作した場合は変わらない）、「フロント」ボタン２２４を操作すれば図１０の画面へ移行する（図１０の画面において操作した場合は変わらない）。
【００６８】
また、上記各画面における入力内容は、例えば各画面の最下部に「確定」ボタン（図示せず）が設けられており、この「確定」ボタンを操作することにより、前述の手書き入力処理プログラム１１３によって、直前の図７においてチェックシートに入力した文字データと関連づけられた手書き入力データとしてＲＡＭ２ｄへ一旦格納され記憶保持される（例えば、確定させるまでは、別途設けた「クリア」ボタンで一斉消去可能となっている。なお、文字データファイルと各手書き入力データとを組み合わせた形で新しい機体別のファイルとして記憶しても良いし、データ形式は別々のままだが識別子や演算子等を用いて結合された状態で記憶しても良いし、さらに別々に記憶するが必ず読み出し時に何らかの形で関連づけられるように記憶しても良い）。
【００６９】
以上のようにして、手書き入力画面における入力及び記憶が終わったら、この油圧ショベル１における作業は終了し、査定担当者は、次の査定対象となる油圧ショベル１へと移り、上記と同様にしてステップ１００〜ステップ３００の手順を行う（但し一台のみを査定する場合は除く）。このようにして、次々に各油圧ショベル１の査定作業を行っていき、そのとき査定しようと意図している複数台（全ての台数）について、ステップ１００〜ステップ３００を繰り返す。全台数の査定作業が終了したら、デジタルカメラ３と携帯端末２とを例えばケーブルを介して接続し（あるいはデジタルカメラ３を直接接続するのでなく、撮影済のデジタルカメラ３の画像信号を記憶保持した記録媒体（メモリカード・メモリスティック等）と適宜のインターフェースを介して接続してもよい）する。このとき、どのような接続とするかに応じ、前述の図５に示した「設定」ボタン２０７を操作して移行表示される設定画面（図示せず）において、接続方法の設定ができるようになっている。
【００７０】
その後、適宜の操作（例えば、表示部２Ｂの左下部の操作ボタン部２Ｄａを操作して図５の初期画面に戻り「画像入力」ボタン２０４を操作、あるいは図８〜図１０に示す手書き入力画面内に適宜設けた画面移行ボタンを操作等）により、例えば図４のステップ４００に示す次の画像一斉読み込み手順へ移行する。なお、全台数の査定作業が終了した後の上記接続作業以降の手順は、例えば、各油圧ショベル１が留置してある留置場所から前述の事務所に戻ってきて行ってもよい。
【００７１】
（４）画像一斉読み込み（ステップ４００）
上記した適宜の操作により、画像入力処理プログラム１１４によってデジタルカメラ３で撮影したすべての画像信号が通信インターフェース２ａを介し携帯端末２内に読み込まれ、端末本体２ＡのＲＡＭ２ｄに一旦取り込まれて記憶する。図１１は、この読み込み記憶しているとき、画像入力処理プログラム１１４によって表示部２Ｂに表示される画像読み込み画面を表す図である（したがって、上記（３）の末尾部分で述べた操作を行う直前の画面、すなわち表示部２Ｂの左下部の操作ボタン部２Ｄａを操作した図５の初期画面、あるいは、画面移行ボタンが表示されている図８〜図１０の画面は、言い換えれば、デジタルカメラ３で撮影した画像を読み込むかどうかの指示入力を促す画面となる）。読み込み記憶中には図示のように「画像の読み込み（あるいは読み込み中）」という表示され、読み込み記憶が終了したら「読み込み終了」と表示される（図示せず）ようになっている。
【００７２】
なお、「戻る」ボタン２３１は、この画面の前に表示していた画面（例えば図８、図９、図１０のいずれか１つ）に戻ることを可能とするボタンである。
【００７３】
以上のようにして、全画像データの読み込みが終わったら、査定担当者は、適宜の操作（例えば、表示部２Ｂの左下部の操作ボタン部２Ｄａを操作して図５の初期画面に戻り「画像貼り付け」ボタン２０５を操作、あるいは画像読み込み画面内に適宜設けた画面移行ボタンを操作等）により、図４のステップ５００に示す次の画像関連づけ手順へ移行する。
【００７４】
（５）画像の関連づけ（ステップ５００）
図１２は、上記画像読み込み画面における適宜の操作により、前述の画像貼り付け処理プログラム１１５によって表示部２Ｂに表示される画像関連づけ画面（言い換えれば、ステップ２００で読み込んだ文字データ及びステップ３００で読み込んだ手書き入力データと、ステップ４００で読み込んだ画像データとを、所定の形式で関連づけるかどうかの指示入力を促す画面）を表す図である。
【００７５】
図１２において、表示部２Ｂに表示された画面中には、ほぼ上半分に、既に前述のシート入力画面で各種文字データ及び手書き入力画面で手書き入力データをそれぞれ入力した複数の油圧ショベル１の画像貼り付け状況（文字データ及び手書き入力データと画像との関連づけ状況）表示領域２４１が上下方向にスクロール可能に表示され、ほぼ下半分に、前述の画像読み込み画面で読み込んだ全油圧ショベル１の全画像表示領域２４２が上下方向にスクロール可能に表示される。このとき、各画像は、適宜の操作（例えば操作ボタン部２Ｄａ，２Ｄｂで選択後ダブルクリック）することによって拡大表示が可能である。また、全画像表示領域２４２のさらに下部の左側・中央部・右側には、それぞれ「登録」ボタン２４３、「全て登録」ボタン２４４、「時刻合わせ」ボタン２４５が設けられている。
【００７６】
画像貼り付け状況表示領域２４１は、各油圧ショベル１ごとに対応するデータナンバー表示領域２４１ａと、機種表示領域２４１ｂと、号機表示領域２４１ｃと、当該機械に関連づけられその関連づけが確定（＝登録）された画像の枚数を表示する登録枚数表示領域２４１ｄとから構成されている。
【００７７】
査定担当者は、操作ダイヤル部２Ｆ、操作ボタン部２Ｄａ，２Ｄｂ、マウス部２Ｃ等を用いた適宜の操作によりカーソルをこれから関連づけようとする油圧ショベル１の号機名の位置に合わせて選択し（この選択は例えば上記適宜の操作を重ねて繰り返すことによって取り消し可能である）これによって機種表示領域２４１の左側に図示のように●印が表示される。図示の例ではＮｏ．３の機体が選択されている）、その後、全画像表示領域２４２に表示された画像を適宜スクロールしながら、選択した機体（この例ではＮｏ．３）に関連づけたい画像（この例では静止画、写真）を、操作ダイヤル部２Ｆ、操作ボタン部２Ｄａ，２Ｄｂ、マウス部２Ｃ等を操作（例えばクリック）して（適宜スクロールしながら）選択する。選択が終了したら、「登録」ボタン２４３を操作することにより、選択した機体（この例ではＮｏ．３）と選択した画像（この例では図示の６枚）とが関連づけられた状態で登録され、ＲＡＭ２ｄへ一旦格納され記憶保持される（このとき、文字データファイル及び手書き入力データと各画像データとを組み合わせた形で新しい機体別のファイルとして記憶しても良いし、データ形式は別々のままだが識別子や演算子等を用いて結合された状態で記憶しても良いし、さらに別々に記憶するが必ず読み出し時に何らかの形で関連づけられるように記憶しても良い）。そして、この記憶終了後、対応する登録枚数表示領域２４１ｄにその枚数（この例では６枚）が表示される（ちなみに、図示の例では、Ｎｏ．１には登録された画像がなく、Ｎｏ．２には３枚の画像が登録されている）。
【００７８】
なお、以上は、表示部２Ｂ上に表示された画像を選択しつつ登録していく基本操作を説明したが、これに限られず、「全て登録」ボタン２４４を用いて、例えばそのとき表示部２Ｂ上に（スクロールしないて）表示されているすべての写真（図示の例では６枚）を、そのとき選択している機体と一括関連づけ登録することも可能である。
【００７９】
また、「時刻合わせ」ボタン２４５は、上記のようにして関連づけられる機体と画像との時間合わせを行うものである。すなわち、前述したように図７に示すシート入力画面及び手書き入力画面でそれぞれ入力した文字データ及び手書き入力データは「確定」ボタンを操作した時刻データが付されており、その一方で、これに関連づけられた１〜複数枚の各画像もデジタルカメラ３側で前述したようにそれぞれ時刻データを付されている。そこで、上記のようにこの画像関連づけ画面にて関連づけられ登録されるとき、今後のデータ管理上の便宜のために、文字データ、手書き入力データ、及びこれに対応する全画像データを、互いに時刻データを共通化するためのものである。このとき、例えば文字データ側の時刻に統一しても良いし、画像データ側に統一してもよいし、別途管理用の時刻データ（例えばこのボタン２４５の操作時）に書き換えることも考えられる。いずれにしても、この「時刻合わせ」ボタン２４５の操作によって、文字データ、手書き入力データ、及び画像データの時刻データとのズレをなくして統一化する。
【００８０】
以上のようにして、全画像データの関連づけが終わったら、査定担当者は、適宜の操作（例えば、表示部２Ｂの左下部の操作ボタン部２Ｄａを操作して図５の初期画面に戻り「送信」ボタン２０６を操作、あるいは画像関連づけ画面内に適宜設けた画面移行ボタンを操作等）により、図４のステップ６００に示す次のサーバへ送信する手順へ移行する。
【００８１】
（６）サーバへ送信（ステップ６００）
図１３は、上記画面画像関連づけ画面における適宜の操作により、前述の送信処理プログラム１１６によって表示部２Ｂに表示される送信画面（言い換えれば、ステップ５００で関連づけた文字データ、手書き入力データ、画像データを、サーバ５に送信するかどうかの指示入力を促す画面）を表す図である。
【００８２】
図１３において、表示部２Ｂに表示された画面中の下部に、それぞれ「送信」ボタン２５１、「着信確認」ボタン２５２、「着信済み削除」ボタン２５３、「戻る」２５４ボタンが設けられている。また、これらボタン２５１〜２５４の上部には、各油圧ショベル１ごとの結合データの送受信状況表示領域２５５が順番に表示される。
【００８３】
査定担当者は、前述のようにして文字データ、手書き入力データ、画像データの関連づけが終了しこの画面に移行したら、「送信」ボタン２５１を操作する。これによって、送信処理プログラム１１６によって上述のように端末本体２ＡのＲＡＭ２ｄに互いに関連づけられた状態で記憶された上記文字データ、手書き入力データ、画像データが再び読み出され、関連づけられた状態のデータ（以下、結合データという）として通信インターフェース２ｂによりインターネットを介しサーバ５へ出力される。このとき、実際には、例えば油圧ショベル１の機体ごとにまとまって順次結合データが出力される。
【００８４】
このとき、送受信状況表示領域２５５は、各油圧ショベル１ごとに対応するデータナンバー表示領域２５５ａと、機種表示領域２５５ｂと、号機表示領域２５５ｃと、当該機械の上記結合データの送信状況（携帯端末２からの送信が終了したかどうか）を表示する送信状況表示領域２５５ｄ及びサーバ５における受信（着信）状況（サーバ５において受信完了したかどうか）を表示する受信状況表示領域２５５ｅとから構成されている。送信状況表示領域２５５ｄには、上記のように「送信」ボタン２５１を操作して送信が開始された後、送信が完了したものについては順次自動的に「完」と表示される。その後、査定担当者が「着信確認」ボタン２５２を操作すると、これに応じた着信確認指令信号が送信処理プログラム１１６によって生成されてサーバ５へ出力され、サーバ５よりこれに応じた着信確認信号が入力されることによって、受信が完了したものについては受信状況表示領域２５５ｅに「完」と表示され、完了していないものについては「未」と表示される。なお、「着信確認」ボタン２５２を操作することなく、自動的に「完」「未」が表示されるようにしてもよい。「完」が表示されサーバ５での受信が確認されたものについては、「着信削除」ボタン２５３を操作することにより、一括削除することが可能となっている。なお、「戻る」ボタン２５４は、この画面の前に表示していた画面（例えば図１２）に戻ることを可能とするボタンである。また、図５に戻り、「一斉表示」ボタン２０８を操作することにより、それまでに互いに関連づけられてサーバ５のデータベース５ｂに格納保持されたすべての結合データをインターネットを介し携帯端末２側に再び読み込み、一覧することができる。
【００８５】
以上により、査定担当者による査定処理は終了し、査定を行ったすべての油圧ショベル１に関する結合データが、サーバ５へ送られ（例えば電子メールの添付ファイル方式で行い、そのときのメールアドレス設定は前述の設定画面において可能である）、そのデータベース５ｂ（図１参照）に閲覧できる状態で格納・保持される。なお、インターネットを介し全く自由に閲覧できるようにしてもよいが、あるいは、中古建設機械取扱業の業者内のみ、その主催するネットワークに入会した者のみ、別途閲覧料金を支払った者のみ等、所定の制約をかけてその制約内でのみ閲覧できるようにしてもよい。
【００８６】
上記において、携帯端末２の表示部２Ｂに表示した各画面の各ボタン、マウス部２Ｃ、操作ボタン部２Ｄａ，２Ｄｂ、操作ダイヤル部２Ｆが、各請求項記載の携帯端末の操作手段を構成する。また、ＣＰＵ２ｃが、操作手段を介し操作入力された中古車両の査定に関する文字データを読み込む手順；撮影手段で撮影した中古車両の画像データを入力手段を介し読み込む手順；読み込んだ文字データと読み込んだ画像データとを所定の形式で関連づける手順、その関連づけた状態の文字データ及び画像データを、出力手段を介しサーバに送信する手順；を実行する第１演算手段を構成すると共に、操作手段を介し操作入力された中古車両の査定に関する文字データを読み込む手順；図像表示を行う表示信号を出力するとともに、その図像表示上への手書き入力データを読み込む手順；読み込んだ文字データと読み込んだ手書き入力データとを所定の形式で関連づける手順、その関連づけた状態の文字データ及び手書き入力データを、出力手段を介しサーバに送信する手順；を実行する第２演算手段をも構成する。
【００８７】
また、図４のステップ２００に示したシート入力・デジカメ撮影手順が、携帯端末の操作手段を介し操作入力された中古車両の査定に関する文字データを読み込む第１手順に対応し、ステップ３００に示した手書き入力手順が、携帯端末の表示手段に中古車両の少なくとも一部分に係わる図像表示を行う表示信号を出力すると共に、その図像表示上への手書き入力データを読み込む第７手順に対応し、ステップ４００に示した画像一斉読み込み手順が、撮影手段で撮影した前記中古車両の画像データを読み込む第２手順に対応し、ステップ５００に示した画像の関連づけ手順が、読み込んだ文字データと読み込んだ画像データとを所定の形式で関連づける第３手順に対応し、ステップ６００に示したサーバへの送信手順が、関連づけた状態の文字データ及び画像データを、サーバに送信する第４手順に対応するとともに、読み込んだ文字データと読み込んだ手書き入力データとを所定の形式で関連づけた状態でサーバに送信する第８手順にも対応する。
【００８８】
以上説明したように、本実施の形態においては、査定を行ったすべての油圧ショベル１に関する結合データがサーバ５へ送られ、そのデータベース５ｂに格納・保持されることにより、サーバ５では、例えば操作端末５ａを介してデータベース５ｂ内に格納された全中古建設機械のデータを一元管理することができる。
【００８９】
また、中古建設機械取扱業者の顧客（例えば中古建設機械を買いたいと希望する購入希望者、オークション会場にて競り落としたいと考える競売参加者）あるいはその他正確な査定情報を欲している者（レンタル会社が自己の保有機の正確な金銭価値を知りたい場合等）が、例えば中古建設機械取扱業者の事務所内のパソコン４を通じて上記サーバ５にアクセスすることで、各油圧ショベル１のチェックシートにおける各観察箇所のチェックポイント、状態・性能等に関する文字情報を入手し概要を把握できるのみならず、当該油圧ショベル１の画像情報（写真、静止画あるいは動画）及び手書き入力データによって実際の姿を具体的かつ明確に入手し、文字情報と併せてじっくりと検討することができる。これにより、紙形式で各車両の文字情報のみがファイリングされていた従来技術と異なり、各油圧ショベル１のありのままの真の状態を容易かつ十分に認識することができる。
【００９０】
また、査定担当者にとっては、全台数の査定が終了した後に査定場所から紙形式のチェックシートを例えば事務所に持ち帰ってファイリングしなければならなかった従来技術と異なり、上記のように査定作業終了後に事務所又は査定場所でサーバ５へすばやく送信できることによって情報伝達の高速化が図れ、作業効率も向上できる。
【００９１】
なお、上記本発明の一実施の形態においては、前述の文字データ、手書き入力データ、画像データのそれぞれを携帯端末２へ入力し互いに関連づけてサーバ５へ送信格納したが、これに限られず、例えば文字データと手書き入力データのみを入力して関連づけたり、文字データと画像データのみを入力して関連づけるようにしてもよい。また、関連づけるタイミングも上述したものに限られず、少なくともサーバ５への送信時において何らかの形で関連づけられていれば足りる。一例としては、前述したような図４のステップ４００の画像読み込み手順に移行するための適宜の操作（例えば、表示部２Ｂの左下部の操作ボタン部２Ｄａを操作して図５の初期画面に戻り「画像入力」ボタン２０４を操作、あるいは図８〜図１０に示す手書き入力画面内に適宜設けた画面移行ボタンを操作等）を行ったら、画像一斉読み込みを行うと共にさらに次のステップ５００の関連付けまで自動的に行うようにしてもよい（但しこの場合、どの文字データ又は手書き入力データと画像データとを関連づけるかを予め設定しておく必要がある。例えば、デジタルカメラ３で撮影するときに、対応する号機を表す所定の識別子を査定担当者の手操作によって画像データに書き込み添付するようにしておくことも考えられるし、文字データ又は手書き入力データの入力開始時刻と入力終了時刻が各データごとに自動的に付記されるようにしておき、その時刻範囲内に撮影した画像データを自動的に関連づけるようにしておいてもよい等も考えられる）。これらの場合も、少なくとも、紙形式で各車両の文字情報のみがファイリングされていた従来技術に比べれば、各油圧ショベル１のありのままの真の状態を容易かつ十分に認識することができる。
【００９２】
さらに、上記本発明の一実施の形態においては、携帯端末２としてＰＤＡを例にとって説明したが、これに限られず、各種入力機能・表示機能を備えた携帯電話機や、各種通信機能を備えたノートパソコンを用いても良い。これらの場合も同様の効果を得る。また、撮影手段として携帯端末２と別体のデジタルカメラ３を使用したが、これに限られず、携帯端末２自体に付属したあるいは内蔵した撮影手段（内蔵カメラ等）を用いてもよい。あるいはカメラ機能を備えた携帯電話機を用いてもよい。
【００９３】
また、上記本発明の一実施の形態においては、建設機械の例として油圧ショベルを例にとって説明したが、これに限られず、他の建設機械、例えばクローラクレーン、ホイールローダ等に対しても適用できる。また、建設機械にも限られず、他の中古車両、例えば、鉱山機械（鉱山現場で稼働する大型の油圧ショベル、ホイールローダ、モータグレーダ、スクレーパ、削岩機等を含む掘削及び積み込み用機械全般）、自動車（自家用車、トラック、その他事業用車等を含む）、二輪車、自転車等の査定に対しても適用でき、これらの場合も上記同様の効果を得る。
【００９４】
【発明の効果】
請求項１記載の発明によれば、顧客は、サーバにアクセスすることで、各車両の文字情報で概要を把握できるのみならず、文字情報に関連づけられた当該車両の画像情報で実際の姿を具体的かつ明確に入手し、文字情報と併せてじっくりと検討することができる。したがって、紙形式で各車両の文字情報のみがファイリングされていた従来技術と異なり、各車両のありのままの真の状態を容易かつ十分に認識することができる。
【００９５】
請求項５記載の発明によれば、顧客は、サーバにアクセスすることで、各車両の文字情報で概要を把握できるのみならず、文字情報に関連づけられた当該車両の手書き入力情報で実際の姿を具体的かつ明確に入手し、文字情報と併せてじっくりと検討することができる。これにより、紙形式で各車両の文字情報のみがファイリングされていた従来技術と異なり、各車両のありのままの真の状態を容易かつ十分に認識することができる。
【図面の簡単な説明】
【図１】本発明の中古車両用情報処理プログラムを適用した中古車両用情報処理システムの全体概要図である。
【図２】本発明の中古車両用情報処理プログラムの一実施の形態を備えた携帯端末の機能的構成を表す機能ブロック図である。
【図３】ＲＯＭに記憶された本発明の中古車両用情報処理プログラムの一実施形態の内訳を表す図である。
【図４】本発明の中古車両用情報処理プログラムを備えた携帯端末の機能によって実際に査定担当者が査定処理を行う場合の作業フローである。
【図５】携帯端末に表示される画面の一例を示す図である。
【図６】携帯端末に表示される画面の一例を示す図である。
【図７】携帯端末に表示される画面の一例を示す図である。
【図８】携帯端末に表示される画面の一例を示す図である。
【図９】携帯端末に表示される画面の一例を示す図である。
【図１０】携帯端末に表示される画面の一例を示す図である。
【図１１】携帯端末に表示される画面の一例を示す図である。
【図１２】携帯端末に表示される画面の一例を示す図である。
【図１３】携帯端末に表示される画面の一例を示す図である。
【符号の説明】
１            油圧ショベル（中古車両）
２            携帯端末
２ａ          通信インターフェース（入力手段）
２ｂ          通信インターフェース（出力手段）
２Ｂ          表示部（表示手段）
２Ｃ          マウス部（操作手段）
２ｃ          ＣＰＵ（演算手段；第１演算手段；第２演算手段）
２Ｄａ，Ｄｂ  操作ボタン部（操作手段）
２ｄ          ＲＡＭ（記憶手段）
２ｅ          ＲＯＭ（記録媒体）
２Ｆ          操作ダイヤル部（操作手段）
３            デジタルカメラ（撮影手段）
【図１】
2004178043.tif 000003
【図２】
2004178043.tif 000004
【図３】
2004178043.tif 000005
【図４】
2004178043.tif 000006
【図５】
2004178043.tif 000007
【図６】
2004178043.tif 000008
【図７】
2004178043.tif 000009
【図８】
2004178043.tif 000010
【図９】
2004178043.tif 000011
【図１０】
2004178043.tif 000012
【図１１】
2004178043.tif 000013
【図１２】
2004178043.tif 000014
【図１３】
2004178043.tif 000015